(57)【特許請求の範囲】
【請求項１】
容器本体と、そのフランジ部に接着されるフランジ部を有した蓋体とからなる包装用密閉容器であって、
前記両フランジ部の接着部分を、開封容易な弱接着部分と、開封困難な強接着部分とにより構成し、この強接着部分にはその全面に接着剤を塗布するとともに、前記弱接着部分には前記接着剤を線状に塗布して、
前記蓋体の、両接着部分の境界間に位置する部分であって、前記蓋体の平面からみた中心線より僅かにズラせた部分に、当該蓋体の開封後の折曲を容易にするための突条を形成し、この突条の両端側に各傾斜突起を形成したことを特徴とする包装用密閉容器。
【請求項２】
容器本体と、そのフランジ部に接着されるフランジ部を有して、前記容器本体と同じ材料によって形成した蓋体とからなる包装用密閉容器であって、
両フランジ部の接着部分を、開封容易な弱接着部分と、開封困難な強接着部分とにより構成するとともに、前記強接着部分に対する前記蓋体の熱溶着量より少ない量で、前記弱接着部分に対する蓋体の熱溶着を行って、
前記蓋体の、両接着部分の境界間に位置する部分であって、前記蓋体の平面からみた中心線より僅かにズラせた部分に、当該蓋体の開封後の折曲を容易にするための突条を形成し、この突条の両端側に各傾斜突起を形成したことを特徴とする包装用密閉容器。
【請求項３】
前記蓋体の、前記弱接着部分側となる部分に、前記蓋体を引き剥がす際に使用する摘み部を一体的に形成したことを特徴とする請求項１または請求項２に記載の包装用密閉容器。
【請求項４】
前記容器本体が略四角形状である場合に、前記弱接着部分を少なくとも隅部に形成したことを特徴とする請求項１〜請求項３のいずれかに記載の包装用密閉容器。
【発明の詳細な説明】
【０００１】
【発明の属する技術分野】
本発明は、容器本体と蓋体とからなる包装用密閉容器に関し、特に、容器本体のフランジ部に、嵌合、接着、または熱溶着されるフランジ部を有した蓋体を構成要件とする包装用密閉容器に関するものである。
【０００２】
【従来の技術】
容器本体と、これに嵌合される蓋体とからなり、食品等を密閉するようにした包装用密閉容器としては、種々なものが提案されてきており、そのための蓋体についても、用途に応じた種々な工夫が凝らされてきている。例えば、特開２００１−０９７４３６号公報には、電子レンジで加熱した際に容器内に発生する水蒸気を容器外に良好に放出でき、加熱終了後に容器内に減圧が生じたときには、外気を容器内に良好に導入できるようにすることを目的とした「包装用容器」が提案されている。
【０００３】
このような包装用容器が、野菜や果物のような水蒸気があっても液汁のないものを対象とするのであれば、水蒸気を容器外に放出したり、外気を容器内に導入したりすることはそれなりに十分な機能を発揮することになるものであるが、水に漬けた豆腐や漬物のように、水や液汁が多く必要、あるいは含むものでは、外気や水蒸気が出入りできるようにしておくことには不都合があり十分な密封を行っておく必要がある。
【０００４】
密封の点について、所謂「レトルト」食品では、例えば特開平１０−１１４３５６号公報にて提案されているように、蓋材を熱封緘すべき開口フランジ部を有するプラスチック容器本体であって、これに内容物を収納し、ついで蓋材熱封緘して密封包装体を作成したときに、包装体内側からの蓋の剥離強度が、例えばレトルト殺菌時の内圧の増大及び落下衝撃等に耐える程度に大であり、包装体外側からの剥離強度が手による開封が可能なシール強度に保たれている密封包装用容器について、
「蓋材を熱封緘すべき開口フランジ部を有するプラスチック容器本体であって、該フランジ部の表面が、該容器本体を上方に開口させた位置において、その内側縁から外側縁に向かって下降する斜面を有し、該下降斜面を熱封緘面とすることを特徴とする密封包装用容器」
がある。
【０００５】
この特開平１０−１１４３５６号公報にて提案されている密封包装用容器は、確かに内容物の密封を確実に行え、しかも手による開封が可能なシール強度に保たれているものではあるが、内容物をその消費時に完全に使い切る場合は、これで十分であると考えられるが、少し残しておきたい場合には不都合が生ずる。
【０００６】
例えば、前述したような水に漬けた豆腐や漬物のような食品は、一人暮らしの人が消費する場合や、家族が揃った食事でも種々な食品を食卓に並べる等の理由から、開封後に完全に消費されることはむしろ少なく、次回の食卓に再び載せることがなされる。このような場合に、最初の開封時に蓋体を半開き状態にしておいて中身を取り出し、その後再び蓋体を閉じた状態にする必要がある。つまり、漬物や豆腐用の包装用容器では、開封前では「液漏れ」がないように十分な密閉を行っておかなければならないことは当然として、逆に開封後には水切りや一部の取り出し等を行うために、蓋体を半開き状態にする必要もあるものである。
【０００７】
また、容器本体と蓋体とからなり、食品を収納する包装用密閉容器では、内容物の詰め込み、及び容器本体に対する蓋体の密封は、スーパー等の小売店で行われるものであり、バーシーラーとも呼ばれているヒートシーラー等の簡単な機械設備で行わなければならない。そうなると、密封作業そのものが簡単に行えなければならない。そして、上述したような半開き開封も消費者自身で簡単に行えなければならない。
【０００８】
そこで、本発明者は、上記のような包装用密閉容器について、密封が確実に行え、蓋体の半開き状態が簡単に形成でき、しかも再封止をも容易に行えるようにするにはどうしたらよいか、について種々検討を重ねてきた結果、本発明を完成したのである。
【０００９】
【発明が解決しようとする課題】
本発明は、この種の包装用密閉容器における以上の実状に鑑みてされたもので、その解決しようとする課題は、蓋体の半開き開封を簡単に行うことのできる包装用密閉容器を、簡単な構成によって提供することにある。
【００１０】
【課題を解決するための手段】
以上の課題を解決するために、まず、請求項１及び請求項２に係る発明の採った手段は、後述する実施の形態の説明中において使用する符号を付して説明すると、
「容器本体１０と、そのフランジ部１１に接着されるフランジ部２１を有  両フランジ部１１・２１の接着部分を、開封容易な弱接着部分３１と、開封困難な強接着部分３２とにより構成し、この強接着部分３２にはその全面に接着剤を塗布するとともに、弱接着部分３１には前記接着剤を線状に塗布して、
蓋体２０の、両接着部分３１・３２の境界間に位置する部分であって、蓋体２０の平面からみた中心線より僅かにズラせた部分に、当該蓋体２０の開封後の折曲を容易にするための突条２３を形成し、この突条２３の両端側に各傾斜突起２４を形成したことを特徴とする包装用密閉容器」
及び、
「容器本体１０と、そのフランジ部１１に接着されるフランジ部２１を有して、前記容器本体１０と同じ材料によって形成した蓋体２０とからなる包装用密閉容器であって、
両フランジ部１１・２１の接着部分を、開封容易な弱接着部分３１と、開封困難な強接着部分３２とにより構成するとともに、強接着部分３２に対する蓋体２０の熱溶着量より少ない量で、弱接着部分３１に対する蓋体２０の熱溶着を行って、
蓋体２０の、両接着部分３１・３２の境界間に位置する部分であって、蓋体２０の平面からみた中心線より僅かにズラせた部分に、当該蓋体２０の開封後の折曲を容易にするための突条２３を形成し、この突条２３の両端側に各傾斜突起２４を形成したことを特徴とする包装用密閉容器」
である。
【００１１】
すなわち、この請求項１に係る包装用密閉容器は、両フランジ部１１・２１にて密封のための接着がなされる容器本体１０と、蓋体２０とからなるものであり、これらの容器本体１０及び蓋体２０は、合成樹脂シートに対して真空または圧空成型することにより、一体成形されるものである。そして、この包装用密閉容器においては、その両フランジ部１１・２１の接着部分を、開封容易な弱接着部分３１と、開封困難な強接着部分３２とにより構成したものである。
【００１２】
この場合の包装用密閉容器における接着強度の「強弱」の具体的数値は、弱接着部分３１の剥離強度（幅１５ｍｍあたりの剥離力）が２００Ｋｇｆ／１５ｍｍ以上であり、強接着部分３２の剥離強度が４００Ｋｇｆ／１５ｍｍ以上である。つまり、これらの強弱接着強度は、農林省告示１０１９に規定されている「イージーピール」の場合の接着強度に対応しているものである。
【００１３】
このような弱接着部分３１及び強接着部分３２を構成するには、種々な手段が考えられるが、請求項１に係る発明では、
「強接着部分３２にはその全面に接着剤を塗布するとともに、前記弱接着部分３１には前記接着剤を線状に塗布する」
という手段によって行ったものであり、請求項２に係る発明では、まず、
「容器本体１０と、そのフランジ部１１に接着されるフランジ部２１を有して、前記容器本体１０と同じ材料によって形成し」
ておいて、
「強接着部分３２に対する前記蓋体２０の熱溶着量より少ない量で、前記弱接着部分３１に対する蓋体２０の熱溶着を行ったこと」
という手段によって行ったものであり、いずれにしても、従来設備をそのまま使用しながら接着剤の厚さを変更できるため、簡単に形成できるのである。
【００１４】
これらの弱接着部分３１及び強接着部分３２は、これを半硬化状態にしておくとともに、容器本体１０内への食品の詰め込み作業を行ってから、容器本体１０に蓋体２０を嵌合するのである。そして、互いに嵌合されて間に弱接着部分３１または強接着部分３２を形成した両フランジ部１１・２１を上述したバーシーラーによってヒートシールすれば、容器本体１０に対して蓋体２０が完全に密閉された包装用密閉容器が完成するのである。
【００１５】
このような弱接着部分３１及び強接着部分３２の具体的な形成方法としては、次のような手段が考えられる。図３では、容器本体１０のフランジ部１１上に、接着剤の線を、密度の異なる状態で形成した場合が示してあり、線密度が高い方が強接着部分３２で、低い方が弱接着部分３１である。図４に示した例は、容器本体１０と蓋体２０とが、例えばポリエチレンテレフタレート等の同じ材料からなる合成樹脂シートによって形成されており、弱接着部分３１及び強接着部分３２を所謂熱溶着によって形成した場合を示している。この場合、弱接着部分３１については幅を小さくし、強接着部分３２についてはこの弱接着部分３１の幅より大きい幅で熱溶着したものである。その他にも、例えば接着剤を部分的に塗布したり、弱接着部分３１及び強接着部分３２の組み合わせ方を適宜変更しても実施できるものである。
【００１６】
以上の図３〜図４に示したいずれの例の場合も、当然に、両フランジ部１１・２１の接着部分を、開封容易な弱接着部分３１と、全周の残部の開封困難な強接着部分３２とにより構成したものとなっている。
【００１７】
これらの弱接着部分３１及び強接着部分３２は、上記「イージーピール」に該当するものであり、密封性を確保しながら、その剥離が容易になっている。また、両フランジ部１１・２１の接着部分を弱接着部分３１及び強接着部分３２に分けたことによって、弱接着部分３１側での剥離を簡単に行えることは当然として、蓋体２０を半開き状態にしたい場合の半開き場所を、この弱接着部分３１によって簡単に規定できるものとなっている。つまり、中身の一部を取り出したり、水切りを行ったりする場合に、当該包装用密閉容器を図２に示すような半開き状態にしなければならないが、その蓋体２０の半開き部分２０Ａの形成を、この弱接着部分３１はし易くしているのである。
【００１８】
また、この弱接着部分３１は、半開き部分２０Ａの形成をし易くしていると同時に、それ以上の開封、つまり強接着部分３２の剥がしを行わなくてもよいことが消費者の感触で十分解るものとなっている。何故なら、強接着部分３２での接着が弱接着部分３１でのそれよりも強い強度でなされているから、弱接着部分３１での剥離力では当該強接着部分３２での剥離は行えないからである。
【００１９】
さらに、弱接着部分３１または強接着部分３２の引き剥がしを行うと、フランジ部１１または２１が白濁することになるから、当該包装用密閉容器の改ざん防止をも行えるものである。
【００２５】
そして、これらの請求項１または請求項２の包装用密閉容器については、
「蓋体２０の、両接着部分３１・３２の境界間に位置する部分であって、蓋体２０の平面からみた中心線より僅かにズラせた部分に、当該蓋体２０の開封後の折曲を容易にするための突条２３を形成し、この突条２３の両端側に各傾斜突起２４を形成」
してあった。
【００２６】
すなわち、これらの包装用密閉容器は、蓋体２０の平面部２０ａに突条２３を形成したものであり、この突条２３は、例えば図３に示すように、両接着部分３１・３２の境界間に位置するものである。
【００２７】
突条２３は、本実施形態の場合には、図１に示すように、蓋体２０の平面部２０ａが略四角形状である場合に、その対角線に略沿った位置（具体的には、蓋体２０の、両接着部分３１・３２の境界間に位置する部分であって、蓋体２０の平面からみた中心線より僅かにズラせた部分）に形成したものであり、その断面形状は、図６に示すように、下方（容器本体１０の内側）に向けて膨出する略円弧状にして、その内部に上方に突出する小さな突条２３ａを形成したものである。この突条２３の形成位置は、上述したように対角線（丸型の容器であれば弦に相当）に略沿うものであると、図２に示すように、半開き部分２０Ａを蓋体１０全体の略半分とすることができて有利であるが、これに限るものではない。
【００２８】
また、この突条２３の断面形状は、図６に示したものに限らず、図７に示すような種々な形状が考えられる。図７の（イ）に示した突条２３は、下方に膨出する略完全な円弧状のものであり、図７の（ロ）に示した突条２３は、下方に膨出する三角形状のものである。また、図７の（ハ）に示した突条２３は、下方に向けて膨出する略円弧状にして、その内部にさらに下方に突出する小さな突条２３ａを形成したものであり、図７の（ニ）に示した突条２３は、上方に膨出する略円弧状のものとしたものである。
【００２０】
また、突条２３の両端側に各傾斜突起２４を形成したことによって、これらの各傾斜突起２４自身が突条２３の折曲の案内をするし、突条２３が受けた応力を各傾斜突起２４で消失させることができて、蓋体２０の半開き開封をさらに簡単に行うことができるのである。
【００２０】
従って、以上の請求項１及び請求項２に係る包装用密閉容器は、蓋体２０の半開き開封を簡単に行えるのであり、簡単に製造し得るのであり、突条２３の存在によって、半開き部分２０Ａの形成をより安定した状態で行え、水切り時の開口の閉止を防止し、逆に捲れ上がりをなくしているのである。
【００２１】
さて、上記課題を解決するために、今度は、請求項３に係る発明の採った手段は、上記請求項１または請求項２の包装用密閉容器について、
「蓋体２０の、弱接着部分３１側となる部分に、蓋体２０を引き剥がす際に使用する摘み部２２を一体的に形成したこと」
である。
【００２２】
すなわち、この請求項３に記載の包装用密閉容器では、図１にも示すように、少なくとも蓋体２０の弱接着部分３１側となる部分に、摘み部２２を一体的に形成したものである。勿論、この摘み部２２に対応することになる容器本体１０側の部分に、同様な摘み部１２を形成して実施してもよいものである。
【００２３】
これらの摘み部１２・２２は、蓋体２０を容器本体１０から引き剥がす際に使用されて、引き剥がし操作を容易にするものであることは当然として、弱接着部分３１がどこに存在するか、つまり半開き部分２０Ａを形成するのにどこを引っ張ってよいのかをも示すものでもある。
【００２４】
従って、この請求項３の包装用密閉容器は、請求項１または請求項２の発明と同様な機能を発揮する他、半開き部分２０Ａの形成を自然に行うことができるものとなっているのである。
【００３０】
そして、請求項４の採った手段は、
「容器本体１０が略四角形状である場合に、弱接着部分３１を少なくとも隅部に形成したこと」
である。
【００３１】
すなわち、この請求項４の包装用密閉容器では、例えば図３等に示すように、弱接着部分３１を少なくとも隅部に形成したものであり、これにより、半開き部分２０Ａを形成すべき部分を隅部によって明示できるようにしたものである。
【００３２】
従って、この請求項４の包装用密閉容器は、上記請求項１のそれと同様な機能を発揮する他、半開き部分２０Ａを形成すべき側を隅部によって明確にすることができ、半開き部分２０Ａの形成操作を簡単に行えるものとなっているのである。
【００３３】
【発明の実施の形態】
次に、上記のように構成した各発明を、図面に示した実施の形態である蓋体２０について説明するが、この実施形態の蓋体２０は、上記各請求項に係る発明の全てを含むものである。
【００３５】
図１には、本発明に係る蓋体２０を採用した包装用容器の平面図が示してあり、この包装用容器は、図３等に概略図示した容器本体１０に、本発明に係る蓋体２０を、その両フランジ部１３及び２１を利用して密封したものである。本実施形態の包装用容器は、その容器本体１０及び蓋体２０の形状を、例えば図９に示したように構成することによって、複数を積み上げることができる、所謂多段積みできる形状となるようにしたものである。
【００３６】
なお、本実施形態の蓋体２０及び容器本体１０は、ポリエチレンテレフタレートを材料とした合成樹脂シートを材料として、真空または圧空成形したものである。勿論、容器本体１０や蓋体２０を、透明または半透明材料によって形成すれば、中身の視認を行うことができることは言うまでもない。また、蓋体１０の上面が完全な平面となるように形成して実施してもよいものである。
【００３７】
これらの両フランジ部１１・２１における密封は、両フランジ部１３及び２１の嵌合と、接着剤等を利用した接着、あるいは両者が同種材料の場合は熱溶着によってなされるものであり、その接着強度は、弱接着部分３１及び強接着部分３２の二種類の部分で変えてある。
【００３８】
この場合の包装用密閉容器における接着強度の「強弱」の具体的数値は、弱接着部分３１の剥離強度（幅１５ｍｍあたりの剥離力）が２００Ｋｇｆ／１５ｍｍ以上であり、強接着部分３２の剥離強度が４００Ｋｇｆ／１５ｍｍ以上である。つまり、これらの強弱接着強度は、農林省告示１０１９に規定されている「イージーピール」の場合の接着強度に対応しているものであって、手で開封が行える程度のものとしてある。
【００３９】
また、この包装用密閉容器における容器本体１０及び蓋体２０には、図１及び図２に示したように、半開き部分２０Ａの引き剥がしを行う際に使用する摘み部１２及び２２がそれぞれ形成してある。また、本実施形態では、図１等に示したように、容器本体１０及び蓋体２０の摘み部１２及び２２の各内側に、所謂アンダーカット部であって互いに係止し合うことのできる係止部及び被係止部をそれぞれ形成しておくことにより、容器本体１０に対する蓋体２０の半開き部分２０Ａの再封止を確実にすることができる。
【００４０】
さらに、容器本体１０については、図８及び図９に示したように、その摘み部１２側になる部分に凹所１３を形成しておき、この凹所１３の存在によって、摘み部１２側に掴み部１４を形成するようにしたものである。この掴み部１４は、図９に明瞭に示したように、これとその上の蓋体２０側部分を指で掴めるようにしたものであり、半開き部分２０Ａの形成操作をよりし易くするものである。
【００４１】
蓋体２０は、図１に示したように、容器本体１０の形状に合う略四角形状のもにしたものであり、その外周に、容器本体１０側のフランジ部１１に密封されるべきフランジ部２１を形成したものである。このフランジ部２１の内側には一段下がる平面部２０ａが形成してあり、この平面部２０ａの対角線にほぼ沿うことになる位置に、突条２３が形成してある。この実施形態の突条２３は、図２にも示したように蓋体２０を略半分に折曲する場所を形成し、その場合の目安となるものであるが、その断面は、図６に示すようになっている。すなわち、実施形態の突条２３は、蓋体２０の平面部２０ａから容器本体１０内に向けて膨出する円弧状のものであり、その底部には、今度は容器本体１０の外方に突出する小さな突条２３ａを形成したものである。
【００４２】
この突条２３は、図６に示したようなものに限らず、図７に示したような種々な態様のものに採用できる。図７の（イ）に示した突条２３は、下方に膨出する略完全な円弧状のものであり、図７の（ロ）に示した突条２３は、下方に膨出する三角形状のものであって、いずれも成形型を簡単にできるものである。また、図７の（ハ）に示した突条２３は、下方に向けて膨出する略円弧状にして、その内部にさらに下方に突出する小さな突条２３ａを形成したものであり、上記図７の（イ）及び（ロ）に示した突条２３と同様に、蓋体２０によって密封した容器本体１０内に、雑菌を含んでいる可能性のある空気溜まりを形成することがないものである。勿論、この突条２３は、図７の（ニ）に示したように、上方に膨出する略円弧状のものとして実施してもよいものである。
【００４３】
以上のように構成した突条２３の両端側には、各傾斜突起２４が形成してある。各傾斜突起２４は、これ自身が折曲の案内をするものでもあるが、この実施形態のように、突条２３の両端に形成しておくことによって、突条２３が受けた応力を各傾斜突起２４で消失させることができるものである。また、この傾斜突起２４は、図５に示したように、その底部にさらに補助傾斜突起２４ａを形成して実施すると、この補助傾斜突起２４ａが半開き部分２０Ａ側の小さな突条２３ａと同様な機能を発揮して、蓋体２０の折曲をさらに容易にすることができるものである。また、図５に示したように、傾斜突起２４の頂点２４ｂをフランジ部１３の内側直近に形成しておくと、突条２３が受けた応力の消失をさらに効果的に行うことができる。
【００４４】
さらに、この実施例における突条２３は、図１０に示したように、蓋体２０の平面からみた中心線より僅かにズラせた部分に形成したものである。この図１０に示した蓋体２０は、図１に示した略正方形状のものを転記したものであって、この正方形の突条２３と平行な一つの対角線を中心線としてみたとき、この中心線から突条２３が僅かに平行移動した位置にズレている（図１０ではズラし量Ｌとして示してある）ことを示している。従って、この突条２３を中心に当該蓋体２０を二つ折りしたときに折られた二つのフランジ部２１は、互いにズレた位置で重なることになり、当該蓋体２０の開封後の折曲を容易にすることになる。
【００４４】
また、本実施形態の包装用密閉容器では、図１に示したように、その蓋体２０の半開き部分２０Ａ側となる部分に第２嵌合部１５ｂを形成しておき、この第２嵌合部１５ｂが突条２３の反対側となる部分に形成してある第１嵌合部１５ａに嵌合できるようにしてある。これらの第１嵌合部１５ａ及び第２嵌合部１５ｂは、一方が突起であるとき、他方をこの突起が嵌合できる凹所としたものであり、合成樹脂シートから蓋体２０を成形する際に同時に成形されるものである。
【００４５】
【発明の効果】
以上、詳述した通り、まず請求項１に係る発明においては、上記実施形態にて例示した如く、
「容器本体１０と、そのフランジ部１１に接着されるフランジ部２１を有  両フランジ部１１・２１の接着部分を、開封容易な弱接着部分３１と、開封困難な強接着部分３２とにより構成し、この強接着部分３２にはその全面に接着剤を塗布するとともに、弱接着部分３１には前記接着剤を線状に塗布して、
蓋体２０の、両接着部分３１・３２の境界間に位置する部分であって、蓋体２０の平面からみた中心線より僅かにズラせた部分に、当該蓋体２０の開封後の折曲を容易にするための突条２３を形成し、この突条２３の両端側に各傾斜突起２４を形成したこと」
に、また、請求項２に係る発明においては、
「容器本体１０と、そのフランジ部１１に接着されるフランジ部２１を有して、前記容器本体１０と同じ材料によって形成した蓋体２０とからなる包装用密閉容器であって、
両フランジ部１１・２１の接着部分を、開封容易な弱接着部分３１と、開封困難な強接着部分３２とにより構成するとともに、強接着部分３２に対する蓋体２０の熱溶着量より少ない量で、弱接着部分３１に対する蓋体２０の熱溶着を行って、
蓋体２０の、両接着部分３１・３２の境界間に位置する部分であって、蓋体２０の平面からみた中心線より僅かにズラせた部分に、当該蓋体２０の開封後の折曲を容易にするための突条２３を形成し、この突条２３の両端側に各傾斜突起２４を形成したこと」
にその特徴があり、これにより、蓋体２０の半開き開封を簡単に行うこができ、突条２３によって、半開き部分２０Ａの形成をより安定した状態で行え、水切り時の開口の閉止を防止し、逆に捲れ上がりをなくことのできる包装用密閉容器を、簡単な構成によって提供することができるのである。
【００４６】
特に、これら請求項１及び２に係る包装用密閉容器では、その突条２３の両端側に各傾斜突起２４を形成したことによって、これらの各傾斜突起２４自身が突条２３の折曲の案内をするし、突条２３が受けた応力を各傾斜突起２４で消失させることができるから、蓋体２０の半開き開封をさらに簡単に行うことができるのである。
【００４６】
また、この包装用密閉容器は、請求項３のように、蓋体２０に摘み部２２を一体的に形成することによって、引き剥がし操作を容易にするものであることは当然として、弱接着部分３１がどこに存在するか、つまり半開き部分２０Ａを形成するのにどこを引っ張ってよいのかをも示すことのできる包装用密閉容器とすることができる。
【００４７】
さらに、請求項４の包装用密閉容器のように、容器本体１０が略四角形状である場合に、弱接着部分３１を少なくとも隅部に形成することによって、半開き部分２０Ａを形成すべき側を隅部によって明確にすることができ、半開き部分２０Ａの形成操作を簡単に行うことのできる包装用密閉容器とすることができるのである。
【００４８】
そして、請求項４のように、強接着部分３２を、弱接着部分３１より接着剤の量を多くして形成することにより、上記各請求項に係る包装用密閉容器の製造を簡単に行うことができるのである。
【図面の簡単な説明】
【図１】本発明に係る包装用密閉容器の平面図である。
【図２】蓋体の半開き部分を開いた状態の包装用密閉容器の概略斜視図である。
【図３】容器本体のフランジ部に対して弱接着部分及び強接着部分を形成する他の実施例を示す平面図である。
【図４】容器本体のフランジ部に対して弱接着部分及び強接着部分を形成する更に別の実施例を示す平面図である。
【図５】同蓋体の部分拡大平面図である。
【図６】図５中の１−１線に沿って見た折曲突条の部分拡大断面図である。
【図７】突条の他の実施例を、（イ）〜（ニ）の４種類例示した部分拡大断面図である。
【図８】包装用密閉容器の他の実施例を示す平面図である。
【図９】図８の包装用密閉容器の側面図である。
【図１０】突条が中心線（対角線）からどれだけズレているかを示す包装用密閉容器の平面図である。
【符号の説明】
１０    容器本体
１１    フランジ部
１２    摘み部
１３    凹所
１４    掴み部
１５ａ  第１嵌合部
１５ｂ  第２嵌合部
２０    蓋体
２０Ａ  半開き部分
２０ａ  平面部
２１    フランジ部
２２    摘み部
２３    突条
２３ａ  小さな突起
２４    傾斜突起
２４ａ  補助傾斜突起
３１    弱接着部分
３２    強接着部分
【図１】
0004203711.tif 000002
【図２】
0004203711.tif 000003
【図３】
0004203711.tif 000004
【図４】
0004203711.tif 000005
【図５】
0004203711.tif 000006
【図６】
0004203711.tif 000007
【図７】
0004203711.tif 000008
【図８】
0004203711.tif 000009
【図９】
0004203711.tif 000010
【図１０】
0004203711.tif 000011